(57)【要約】【課題】本発明は、医療用ハンドヘルド器具、特に歯科用ハンドヘルド器具（２）をクリーニングおよび維持（保守）するための方法およびシステムに関するものである。【解決手段】ハンドヘルド器具は細長いグリップスリーブ（４´）を示し、このグリップスリーブには要素（６´）が駆動装置に関連して配置され、特に、回転可能に支持され、気体（ガス状）、好ましくは無菌または、純粋なメディアが、駆動装置の要素を囲うパワー伝達領域（１０´´）を通して、過剰な圧力により推進されて導かれる。この関係において、メディアが、少なくとも接合ギャップを介してハンドヘルド器具（２´）の外部空間に接続されているハンドヘルド器具（２）内でもさらに少なくとも一つのさらなるキャビティ（１６）を通して導かれる。【選択図】図２
2014042834.tif 000002
【特許請求の範囲】
【請求項１】
医療用ハンドヘルド器具、特に歯科用ハンドヘルド器具（２´）を操作するための方法であって、
このハンドヘルド器具は細長いグリップスリーブ（４´）を示し、このグリップスリーブには要素（６´）が駆動装置に関連して配置され、特に、回転可能に支持され、
気体（ガス状）、好ましくは無菌または、純粋なメディアが、前記駆動装置の前記要素を囲うパワー伝達領域（１０´´）を通して、過剰な圧力により推進されて導かれる方法において、
前記メディアが、少なくとも接合ギャップを介してハンドヘルド器具（２´）の外部空間に接続されている前記ハンドヘルド器具（２）内でもさらに少なくとも一つのさらなるキャビティ（１６）を通して導かれる
ことを特徴とする方法。
【請求項２】
請求項１に記載の方法であって、
前記メディアは消毒剤である
ことを特徴とする方法。
【請求項３】
請求項１または２に記載の方法であって、
前記過剰な圧力の下限および／または上限は、事前に定義（規定）される
ことを特徴とする方法。
【請求項４】
請求項３に記載の方法であって、
前記下限は１ｈＰａと１０ｈＰａ間の量、たとえば５ｈＰａである
ことを特徴とする方法。
【請求項５】
医療用ハンドヘルド器具、特に歯科用ハンドヘルド器具（２´）を操作するためのシステムであって、
このハンドヘルド器具は細長いグリップスリーブ（４´）を示し、このグリップスリーブには要素（６´）が駆動装置に関連して配置され、特に、回転可能に支持され、
前記駆動装置の前記要素を囲うパワー伝達領域（１０´´）を通して、過剰な圧力により推進される気体（ガス状）、好ましくは無菌または、純粋なメディアを導くための手段を示すシステムにおいて、
前記システムは、前記メディアが、少なくとも接合ギャップを介してハンドヘルド器具（２´）の外部空間に接続されている前記ハンドヘルド器具（２）内でもさらに少なくとも一つのさらなるキャビティ（１６）を通して導かれるように構成されている
ことを特徴とするシステム。
【発明の詳細な説明】
【技術分野】
【０００１】
本発明は、医療用ハンドヘルド（手持ち型）器具、特に歯科用ハンドヘルド器具をクリーニングおよび維持（保守）するための方法に関するものである。そのハンドヘルド器具は細長いグリップスリーブを示し、このグリップスリーブには要素が駆動装置（ドライブアレンジメント）に関連して配置され、特に、回転可能に支持され、ハンドヘルド器具をクリーニングおよび維持する目的で、それを通して異なるメディア（媒体、媒質）が導かれる。さらに本発明は、医療用ハンドヘルド（手持ち型）器具、特に歯科用ハンドヘルド器具をクリーニングおよび維持（保守）するためのシステムに関するものである。そのハンドヘルド器具は細長いグリップスリーブを示し、このグリップスリーブには要素が駆動装置（ドライブアレンジメント）に関連して配置され、特に、回転可能に支持され、システムは、ハンドヘルド器具をクリーニングおよび維持する目的で、それを通して異なるメディアが導かれるように設計されている。さらに本発明は、医療用ハンドヘルド（手持ち型）器具、特に歯科用ハンドヘルド器具を操作するための方法およびシステムに関するものである。そのハンドヘルド器具は、細長いグリップスリーブを示し、このグリップスリーブには要素が駆動装置（ドライブアレンジメント）に関連して配置され、特に、回転可能に支持される。
【背景技術】
【０００２】
アングルピースの形態の対応する歯科用ハンドヘルド器具をクリーニングおよび維持の目的のために、第１ステップで駆動装置（ドライブアレンジメント）の回転可能に支持された要素をクリーニング剤（清浄剤）やクリーニング液（清浄液）により清浄し、後続の第２ステップでそれらを潤滑化し、あるいは油をさすことが知られている。この方法において、クリーニング剤および油は、駆動装置（ドライブアレンジメント）の回転可能に支持されている要素の周囲に直接延びるアングルピースのキャビティ領域を通して導かれる（案内される）。このアングルピースは、クリーニング剤および油によって灌流されるこれらキャビティ領域のほかに、接合ギャップ（接合の隙間）を介してアングルピースの外部空間と接続されたさらなるキャビティ領域を含む。これらさらなるキャビティ領域は、光ガイド手段、冷却ガイド、およびセンサラインとパワー（動力）ラインのためのダクトにより互いに接続され、同時にほとんど気密に保護され、あるいはクリーニング剤および油によって灌流される第１に称呼されたキャビティ領域から分離されている。
【発明の概要】
【発明が解決しようとする課題】
【０００３】
このクリーニングおよび維持（保守）のための知られた方法では、さらなるキャビティ領域は、結果的には扱われない。したがって、病原体、たとえばアングルピースの歯科用アプリケーションの範囲内におけるさらなるキャビティ領域に浸透しているウィルスが、クリーニングおよび保守によって除去されず、その結果として、ユーザーおよび患者に対して感染が発生するリスクを許容するというリスクがある。
【０００４】
本発明の基礎となる目的は、対応する方法またはシステムを改善することにある。特に、この手段によって、対応するハンドヘルド器具の内部の微生物の汚染や汚れの回避、または少なくとも減少が可能となる。
【０００５】
本発明によれば、この目的は、独立請求項に記載されている主題で達成される。本発明の特定の実施形態は従属請求項において特定される。
【課題を解決するための手段】
【０００６】
本発明によれば、医療用ハンドヘルド器具、特に歯科用ハンドヘルド器具をクリーニングおよび維持（保守）するための方法が提供される。そのハンドヘルド器具は細長いグリップスリーブを示し、このグリップスリーブには要素が駆動装置（ドライブアレンジメント）に関連して配置され、特に、回転可能に支持され、ハンドヘルド器具をクリーニングおよび維持する目的で、それを通して異なるメディアが導かれる。この方法において、第１メディアが駆動装置（ドライブアレンジメント）の要素を囲むパワー（動力）伝達領域を通して単に導かれる一方、他方で、第２メディアが前記のハンドヘルド器具内でもさらに少なくとも一つのさらなるキャビティを通して導かれる。
【０００７】
さらなるキャビティを通しての第２メディアの伝導により、さらなるキャビティのクリーニングおよびその結果としてハンドヘルド器具全体の改善されたクリーニングが可能となる。
【０００８】
駆動装置（ドライブアレンジメント）の要素を囲むパワー伝達領域の場合、それはハンドヘルド器具のキャビティ領域であってもよく、このキャビティ領域は、駆動装置（ドライブアレンジメント）の少なくとも一つの回転可能に支持された要素、たとえばシャフトの周囲に直接的に拡張している（延びている）。少なくとも一つのさらなるキャビティの場合、それはハンドヘルド器具のさらなるキャビティ領域であってもよく、このさらなるキャビティ領域は、少なくとも一つの接合ギャップを介してハンドヘルド器具の外部空間と接続されると同時に、光ガイド手段および／または冷却ガイドおよび／またはセンサラインとパワーラインのための少なくとも一つのダクトによって互いに接続されている。
【０００９】
第１メディアの場合、それは好適には駆動装置（ドライブアレンジメント）の要素の潤滑剤、たとえば油あるいは油分散液であり、第２メディアの場合、それは好適にはクリーニング剤（清浄剤）、特にクリーニング液（清浄液）である。クリーニング剤を用いて、特に、さらなるキャビティから細菌を除去することが可能である。
【００１０】
有益には、パワー伝達領域はさらなるキャビティと連通しており、この接続は第１メディアが通って導かれるときに橋渡しされる。特に、パワー伝達領域を通して第１メディアを導く過程において、第１メディアの接続は閉じたままに保つことができる。その結果、第１メディアがさらなるキャビティに入り込まないことが可能となっている。特に、このように、油がさらなるキャビティに入り込み、その後、少なくとも一つの接合ギャップを通り抜けてハンドヘルド器具の外表面上に至り、その結果として、たとえば、油でハンドヘルド器具のグリップ領域を汚すような状況を回避することができる。
【００１１】
メディアは、好適には様々な供給容器から引き出される。その場合、供給容器の結合（付着、取り付け）領域は、そこを介して対応するメディアがハンドヘルド器具に導かれており、異なって構成されている。結合領域を適切に異なる構成とすることにより、接続が第１のメディアを含む第１の貯蔵容器の結合（付着）によって閉じられ、また、接続が第２のメディアを含む第２の貯蔵容器の結合（付着）によって閉じられないという構成を確保することが可能である。その結果、方法はさらに信頼性が高くなり、加えて対応するシステムが簡素化される。
【００１２】
本発明の第２の観点によれば、システムが医療用ハンドヘルド器具、特に歯科用ハンドヘルド器具をクリーニングおよび維持（保守）するために提供される。そのハンドヘルド器具は、細長いグリップスリーブを示し、このグリップスリーブには要素が駆動装置（ドライブアレンジメント）に関連して配置され、特に、回転可能に支持されている。これに関連して、ハンドヘルド器具をクリーニングおよび維持（保守）する目的で、システムはその器具を通して異なるメディアを導くように設計される。このシステムは、第１メディアが駆動装置（ドライブアレンジメント）の要素を囲むパワー伝達領域を通して単に導かれる一方、他方で、第２メディアが前記のハンドヘルド器具内でもさらに少なくとも一つのさらなるキャビティを通して導かれる。
【００１３】
第１メディアの場合、それは好適には駆動装置（ドライブアレンジメント）の要素を潤滑化するための潤滑剤であり、第２メディアの場合、それは好適にはクリーニング剤である。
【００１４】
パワー伝達領域は有益には、さらなるキャビティと連通しており、システムは、この接続が、第１メディアが通って導かれるときに橋渡しされるように設計される。
【００１５】
システムは好適には複数のメディアのための様々な貯蔵容器を示し、この場合、貯蔵容器の結合（付着）領域は、そこを介して対応するメディアがハンドヘルド器具に導かれており、異なって構成されている。
【００１６】
本発明の第３の観点によれば、本発明によるシステムとまた医療用ハンドヘルド器具、特に歯科用ハンドヘルド器具の構成の組み合わせが提供される。この場合、ハンドヘルド器具は好適にはパワー伝達領域とさらなるキャビティ間の接続ダクトを示す。
【００１７】
本発明の第４の観点によれば、方法が医療用ハンドヘルド器具、特に歯科用ハンドヘルド器具を操作するために提供される。そのハンドヘルド器具は、細長いグリップスリーブを示し、このグリップスリーブには要素が駆動装置（ドライブアレンジメント）に関連して配置され、特に、回転可能に支持されている。この方法においては、気体（ガス状）、好ましくは無菌または、純粋な媒体が、駆動装置（ドライブアレンジメント）の要素を囲うパワー伝達領域を通して、過剰な圧力により推進されて導かれる。
【００１８】
その結果、細菌の侵入および／またはハンドヘルド器具の汚れを防止あるいは少なくとも軽減させることが可能である。
【００１９】
メディアは好適には消毒剤である。その結果、細菌の特に顕著な減退を達成することが可能である。
【００２０】
有益には、過剰な圧力の下限および／または上限は、事前に定義（規定）される。その結果、細菌減退を達成する目的のためという趣旨で、過剰の圧力の生成のための成果、特に良好な比（割合）が可能である。下限は好適には１ｈＰａと１０ｈＰａ間の量、たとえば５ｈＰａである。
【００２１】
対応するシステムが、医療用ハンドヘルド器具、特に歯科用ハンドヘルド器具を操作するために提供される。そのハンドヘルド器具は、細長いグリップスリーブを示し、このグリップスリーブには要素が駆動装置（ドライブアレンジメント）に関連して配置され、特に、回転可能に支持されている。このシステムは、気体（ガス状）、好ましくは無菌または、純粋なメディアが、駆動装置（ドライブアレンジメント）の要素を囲うパワー伝達領域を通して、過剰な圧力により推進させて導くための手段を示す。
【００２２】
そのシステムは、好適には操作中または歯科や外科の練習期間が比較的長い期間にわたって恒久的に一定の方法で、医療や歯科用器具で過剰な圧力を維持するように設計される。過剰の圧力は、器具や診察室が操作（動作）状態におかれたときに開始することができる。
【図面の簡単な説明】
【００２３】
【図１】電動要素のペグ状結合要素に取り付けられた歯科用アングルピースの断面図である（一部のみ示されている）。
【図２】電動要素上に装着されたさらなる歯科用アングルピースの断面からの詳細である。
【図３】図２に対応する断面図であって、アングルピースが、たとえば潤滑剤のスプレー缶上に装着されている。
【図４】図２に対応する断面図であって、アングルピースが、たとえば保守機械の結合（付着、取り付け）領域上に装着されている。
【図５】図２に対応する断面図であって、アングルピースが、たとえばクリーニング液のスプレー缶上に装着されている。
【図６】本発明のさらなる観点に関連する見取り図であって、それによれば、気体（ガス状）、好ましくは無菌のメディア、たとえば気体状（ガス状）の滅菌メディアあるいは純粋な気体あるいは気体状（ガス状）の消毒剤が、ハンドヘルド器具を通して導かれる。
【発明を実施するための形態】
【００２４】
この発明は、以下の実施形態に基づき、図面に関連付けてさらに詳細に説明される。
【００２５】
本発明を説明する目的で、図１で始めるため、ハンドヘルド器具２は、歯科用アングルピースの形状で断面で描かれた例示的な方法で示されている。ハンドヘルド器具２は細長いグリップスリーブ４を示す。
【００２６】
示されている例の場合、ハンドヘルド器具２は回転ツール（図１には描かれていない）、たとえばドリルを駆動する目的のために提供されてもよい。この目的のため、ハンドヘルド器具２はツール出口開口部１４あるいは、もっと正確には、ドリル出口開口部が示されてもよい。
【００２７】
ツールを駆動する目的のための備えがあってもよく、特に、ハンドヘルド器具２は電動要素（モータ要素）１２、たとえば電気モータ要素との接続により駆動され、特にハンドヘルド器具２を電動要素１２の結合に適合させることによって駆動される。図１において、電動要素１２の前方の領域が単に描かれている。これはペグ状結合要素２４、たとえばおおよそ環状の円筒壁領域であってもよい。ハンドヘルド器具２は、後部の凹部あるいは、より正確には端部領域に形成された凹部を示してもよい。その凹部は、ハンドヘルド器具２のツール出口開口部１４の反対側に位置し、結合ソケット１５の形で形成され、結合ソケットは電動要素１２の結合要素２４を受け入れるように設計されている。
【００２８】
グリップスリーブ４において、駆動装置（ドライブアレンジメント）に関連した要素、特に、回転可能に支持された要素、たとえばシャフト６およびさらなるシャフト８が配置されている。この回転可能に支持された要素は、特に、電動要素１２からツールにパワーを伝達するために設計されてもよい、
【００２９】
グリップスリーブ４の細長い形状により、―ツールの出口開口部１４の反対側あるいは、より正確には“後部（リア）”領域において位置するハンドヘルド器具２の少なくともある領域において細長い形状により、ハンドヘルド器具２の長手方向軸Ｌを定義（規定）することが可能である。結合ソケット１５は、例示的は方法で図に示されるように、この長手方向軸Ｌに平行に延び、あるいは波が手方向軸Ｌの周囲に延びて形成されてもよい。示されるように、結合ソケット１５は、長手方向軸Ｌに対して深さｔを示してもよい。
【００３０】
ハンドヘルド器具２は、駆動装置（ドライブアレンジメント）の要素を囲うパワー伝達領域１０を示す。これに関連して、それは特に駆動装置（ドライブアレンジメント）の少なくとも一つの回転可能に支持された要素の周囲、すなわち、たとえばシャフト６および／またはさらなるシャフト８の周囲に直接延びるキャビティ領域であってもよい。図１において、パワー伝達領域１０のいくつかの部分は符号１０で示されている。示された例の場合、パワー伝達領域１０は結合ソケット１５から連続してツールの出口開口部１４まで延びてもよい。
【００３１】
示された例の場合、回転可能に支持された要素の一つ、ここではシャフト６が結合ソケット１５に延びてもよく、そのため、パワー伝達領域１０は結合ソケット１５によって囲まれている領域内に部分的に延びる。図１において、パワー伝達領域１０のこの部分はさらに符号１０´により示されている。
【００３２】
通常、ハンドヘルド器具２の正常な動作（通常動作）において、電動要素１２から発せられる冷却用空気あるいは抑制用空気は、ハンドヘルド器具１２のツール出口開口部１４まで導かれ、特にそのような方法で、つまり、この手段によって、過剰の圧力がパワー伝達領域１０において生成される。このようにして、作業中における汚れや細菌のパワー伝達領域１０への侵入を防止することができる。
【００３３】
この点において、技術の状況から、ハンドヘルド器具２をクリーニングおよび維持（保守）する目的のために、異なるメディアを、そこを通して導くことが知られている。この方法で、第１ステップにおいて、クリーニング液がパワー伝達領域１０を通して導かれ、続くステップにおいて、油あるいは油分散液が導かれる。
【００３４】
ハンドヘルド器具２はさらに、さらなるキャビティ１６を示す。後者の場合、それはハンドヘルド器具のさらなるキャビティ領域であってもよく、それらのさらなるキャビティ領域は、少なくとも一つの接合ギャップを介してハンドヘルド器具２の外部空間Ａと接続されると同時に、光ガイド手段および／または冷却ガイドおよび／またはセンサラインおよび／またはパワーラインのための少なくとも一つのダクトによって互いに接続されている。そのさらなるキャビティ１６の場合、ある要素、特に駆動装置（ドライブアレンジメント）の回転可能に支持された要素に直ちに接していないさらなるキャビティであってもよい。そのさらなるキャビティ１６の場合、デッドスペースであってもよい。
【００３５】
示された例の場合、さらなるキャビティ１６は図１においてさらに符号１６´で示されている部分を含んでもよく、その部分は長手方向軸Ｌに対して結合ソケット１５の外に放射状に拡張している。
【００３６】
先行技術によれば、さらなるキャビティ１６のクリーニングは提供されておらず、そのため、ハンドヘルド器具２の処置アプリケーションの範囲内で、汚れや細菌が少なくとも一つの接合ギャップ（隙間）を通ってさらなるキャビティ１６に侵入し、次のクリーニングおよび保守の過程において一緒に、保持して捕えかつ引っ張り出されることがなく、すなわち、さらなるキャビティ１６内に残ってしまうということが起こり得る。この結果、感染の潜在的な危険性が生じ、ハンドヘルド器具２によって処置しているハンドヘルド器具２のユーザーおよび患者の両方に感染の危険性が生じる。
【００３７】
本発明によれば、クリーニングの目的のためおよび維持（保守）の目的のために、第１メディア、特に駆動装置（ドライブアレンジメント）の要素を潤滑化する潤滑剤、たとえば油あるいは油発散液は単にパワー伝達領域１０を通って導かれるだけで、すなわち、特にさらなるキャビティ１６を通って導かれない。一方、第２メディア、特にクリーニング剤は、ハンドヘルド器具２内で、さらに少なくとも一つのさらなるキャビティ１６も通って導かれる。その結果、さらなるキャビティ１６のクリーニングが可能となる。
【００３８】
特に、それに応じて、ハンドヘルド器具２をクリーニングするための第１ステップにおいて、第２メディア（特にクリーニング剤）がパワー伝達領域１０およびさらなるキャビティ１６の両方を通して導かれ、続くステップにおいて、特に、直ちに続くステップにおいて、第１メディア（特に、油あるいは油発散液）が単にパワー伝達領域１０を通って導かれるだけで、すなわち、特にさらなるキャビティ１６を通って導かれない、という備えがあってもよい。このようにして、第１メディアがその後少なくとも一つの接合ギャップ（隙間）を通って漏れ出て、これによってハンドヘルド器具２の表面が油で濡れあるいは汚くなるという状態を回避することが可能となる。
【００３９】
有益には、パワー伝達領域は、さらなるキャビティ１６と連通している。図２において、そのようなタイプの接続が例示的な方法で示されている。この目的のため、ハンドヘルド器具２は少なくとも一つの接続ダクト１８を示してもよく、この接続ダクトは好適には、この接続ダクト１８を灌流する第２メディア（クリーニング剤）がさらなるキャビティ１６に侵入できるような方法で、結合ソケット１５をさらなるキャビティ１６に接続するように設計される。その接続はそれに応じて少なくとも一つの接続ダクト１８によって構成されていてもよい。
【００４０】
例においては、接続ダクト１８は結合ソケット１５の深さｂで長手方向軸Ｌに対して放射状に外側に延びて形成され、参照符号１６´によってさらに示されているさらなるキャビティ１６の一部につながっている。その結果、接続ダクト１８を特に短く設計可能である。結合ソケット１５の深さａは深さｂより少なく（浅く）、示されている例では、冷却空気ガイドの前部シール部（密封部）が形成されている。（図１に描かれたハンドヘルド器具２において、接続ダクト１８が描かれていない。）
【００４１】
ハンドヘルド器具２は、好適には、少なくとも一つの接続ダクト１８が、パワー伝達領域１０からくる第２メディア（クリーニング剤）がさらなるキャビティ１６に侵入できる唯一可能な遷移点を構成するような方法で設計される。少なくとも一つの接続ダクト１８から離れて、有益には、それに応じて、少なくとも実質的に、あるいはほとんど気密に保護され、あるいはパワー伝達領域１０から分離するように設計される。
【００４２】
駆動接続の提供として、ハンドヘルド器具２が、電動要素１２が取り付けられており、あるいはそれに結合されているときに、少なくとも一つの接続ダクト１８は、有益には、ハンドヘルド器具２の長手方向軸Ｌに対して、領域Ｂ内で電動要素（モータ要素）１２の結合を通して、あるいはより正確にはペグ状結合要素２４が延びて形成される。
【００４３】
装着された電動要素１２を伴う、第２メディア（クリーニング剤）のパワー伝達領域１０からさらなるキャビティ１６への通過あるいは流れのために、電動要素１２において、特にペグ状結合要素２４あるいはその環状の円筒壁領域において、少なくとも一つの開口部２０が提供されてもよい。その開口部は、ハンドヘルド器具２が、電動要素１２が取り付けられ、あるいはその結合要素２４に取りつけられて提供されているとき、第２メディア（クリーニング剤）が少なくとも一つの開口部２０から少なくとも一つの接続ダクト１８に流れ、続いてさらなるキャビティ１６に流れるような方法で設計される。
【００４４】
記述されている少なくとも一つの開口部２０と電動要素１２との接続により、ハンドヘルド器具２の正常な動作において、電動要素１２から放出される冷却用空気あるいは抑制用空気は、さらなるキャビティ１６に浸透し、その結果、汚れや細菌のさらなるキャビティ１６への侵入を妨げる。
【００４５】
ハンドヘルド器具２の維持の目的のために、その記載されている接続は好適には、第１メディア（油、油分散液）が通って導かれるときに橋渡しされ、あるいは閉じたままとされる。このように、特に簡単な方法で、第１メディア（油、油分散液）がさらなるキャビティ１６に入り込み、その後、少なくとも一つの接合ギャップを通り抜けてハンドヘルド器具２の外表面上に至るような状況を回避することができる。
【００４６】
この目的のため、有益には、メディアが、様々な貯蔵容器から引き出されるような備えがあってもよい。この場合、この貯蔵容器の結合（付着）領域は、そこを介して対応するメディアがハンドヘルド器具２に導かれており、異なって構成されている。特に、維持（保守）の目的にために、第１メディア（油、油分散液）を含み、第１結合（付着）領域を示す第１貯蔵容器を使用するような備えがあってもよく、この第１結合（付着）領域は、接続あるいは、より正確には、接続ダクト１８を閉じ、同時に第１メディアがパワー伝達領域１０に流出することを可能とするような方法で結合ソケット１５に挿入さるように設計される。クリーニングの目的のため、第２メディア（クリーニング液）を含み、第２結合（付着）領域を示す第２貯蔵容器を使用するような備えがあってもよく、この第２結合（付着）領域は、接続あるいは、より正確には、接続ダクト１８´を閉じず、同時に第２メディアがパワー伝達領域１０およびさらなるキャビティ１６の両方に流出するような方法で結合ソケット１５に挿入さるように設計される。
【００４７】
図３において、そのような第１貯蔵容器の第１結合（付着）領域３０はスプレー容器（全体として示されていない）の形状で例示的な方法で描かれている。第１結合（付着）領域３０は好適には、結合（取り付け）状態で、結合ソケット１５の深さｃで長手方向軸Ｌに対して、たとえば容器（缶）ニップル（継ぎ手）の形状の密封部（封止部）３１を示す。こにより、接続の閉鎖あるいは、より正確には接続ダクト１８の閉鎖が保証される。深さｃは、接続ダクト１８に位置する上記した深さｂより大きく（深く）、こにより、第１結合（付着）領域３０による特に簡単で信頼性のある接続の閉鎖が可能となる。
【００４８】
図４において、深さｄにおいて、結合ソケット１５あるいはその内壁に関連したリング状シールの形態の密封部３２を示す第１結合（付着）領域３０´のさらなるの例が描かれている。深さｄは、上記した注釈に対応して、接続ダクト１８に位置する上記した深さｂよりさらに大きく（深く）なる。
【００４９】
図５において、第２貯蔵容器の第２結合（付着）領域３４は、クリーニング剤を含むさらなるスプレー容器（缶）の形状で例示的な方法で描かれている。第２結合（付着）領域３４は第２メディア（クリーニング剤）のための第１出口領域を示し、この第１出口領域は少なくとも一つの接続ダクト１８に直接つながる。並びに第２結合（付着）領域は第２メディアのための第２出口領域を示し、この第２出口領域はパワー伝達領域１０に直接つながる。提供されている第２結合（付着）領域３４が結合ソケット１５に挿入されていると、接続あるいは、さらに正確には接続ダクト１８はこの手段によって閉鎖されず、第２メディアは、記載した空間１０，１６をフラッシュする（どっと流す）ため、第２貯蔵容器からパワー伝達領域１０および第２キャビティ１６に流れ出すことができる。
【００５０】
医療用ハンドヘルド器具をクリーニングおよび維持（保守）するための本発明に係るシステムが、上記の説明の意味において、クリーニングおよび維持（保守）のためにハンドヘルド器具２を通して異なるメディアを導くために設計されている。これによって、第１メディアがパワー伝達領域１０を通して単に導かれる一方、第２メディアがハンドヘルド器具２内でさらに、さらなるキャビティ１６を通して導かれる。それに対応して、このシステムは、ハンドヘルド器具２を通して記載したメディアを導くための適切な手段を示す。
【００５１】
このシステムは有益には、複数のメディアのための記載した様々な貯蔵容器を含み、この場合、貯蔵容器の結合（付着）領域は、そこを介して対応するメディアがハンドヘルド器具２に導かれており、異なって構成されている。特に、システムは、それに対応して、上述したように、第１メディアのための第１貯蔵容器を示してもよく、第１貯蔵容器は第１結合（付着）領域３０あるいは３０´を示す。同様に、システムは上述したように、第２メディアのための第２貯蔵容器を示してもよく、第２貯蔵容器は第２結合（付着）領域３４を示す。
【００５２】
システムは有益には、本発明に係る組み合わせをもたらすために、ハンドヘルド器具２と組み合わせてもよい。この場合において、ハンドヘルド器具２は、上述した接続、すなわち、たとえば接続ダクト１８を示すことが可能である。さらに、システムあるいは組み合わせは、それに応じて、有益には、電動要素１２を含んでもよく、その結合要素２４は、少なくとも一つの開口部２０を示す。
【００５３】
外科（手術）用ハンドピースおよびアングルピースの操作の過程において、技術の状況に応じて、冷却用空気あるいは抑制用空気は、汚染された空気における処置領域の微生物汚染を防止するために、意図的に不要とされる。しかし、まさに、そのようなタイプの外科（手術）用ハンドヘルド器具の場合、体液による浸透、また、生理食塩水による浸透の特に高い危険性がある。したがって、それらハンドヘルド器具は患者の処置中に特に激しく汚れ、その結果、再調整や清浄をし、特に大変な努力で維持する必要がある。
【００５４】
本発明のさらなる観点によれば、図６の断面で描かれている対応するハンドピース２´の操作の過程において、そのハンドピースは、細長いグリップスリーブ４´を示し、スリーブには要素６´が駆動装置（ドライブアレンジメント）に関連して配置され、特に、回転可能に支持され、気体（ガス状）、無菌のメディアが、駆動装置（ドライブアレンジメント）の要素を囲うパワー伝達領域１０´´を通して、過剰な圧力により推進されて導かれる。このようにして、ハンドヘルド器具２´の汚れを十分に削減することが可能である。メディアの場合、特に、抑制用空気であってもよい。
【００５５】
特に、外科（手術）用アプリケーションの場合、外科（手術）的処置中におけるメディアの導入は、連続的に作動されてもよい。これは微生物汚染をさらに削減する。
【００５６】
メディアの場合、それは好適には消毒剤（消毒メディア）であり、こにより、細菌数のより大規模な削減を達成できる。
【００５７】
好適には、過剰な圧力のための下限および／または上限は、事前に定義（規定）される。下限は、最低でも必要があると認めるときは、その保護作用の機能として定義してもよい。好適には、下限は１ｈＰａと１０ｈＰａ間の量、たとえば５ｈＰａである。この圧力を超えない汚染された液体は、ハンドヘルド器具２´に浸透することはできない。
【００５８】
過剰な圧力のための上限は、以下の要因の機能（効用）として定義されてもよい：医療事故（メディカルハザード）、騒がせる騒音（ノイズ）の生成、患者の不安感、および／または流れにさらされる処置者の不安感、技術的な制限（供給）として、特に、冷却または乾燥する場合である。好適には、過剰圧力バルブがハンドヘルド器具２´に提供されている、あるいは提供されてもよく、このバルブは、それが過剰な圧力の上限を超えた場合に開かれるように設計されている。このようにして、患者に与える対応するダメージを特に抑制することができる。
【００５９】
図６において矢印４０で示されているように、ハンドヘルド器具２´にメディアを供給する目的にため、（分離される）無菌ホースが、おそらく一度だけ使用可能であり、対応する電動要素´の結合領域に結合される（取り付けられるような）備えがあってもよい。続いて、無菌メディア、たとえば濾過された空気は、そのホースを通して流れるように切り替えることができる。さらに、すでにあらかじめ滅菌されているハンドヘルド器具２´は、メディアの流入の場合、取り付けることでき、提供される駆動接続とすることができる。続く操作中に、過剰の圧力下のメディアの供給は常時オンに切り替えたままであり、その結果、細菌は侵入することができない。この場合、汚れの発生時ではそれだけで多かれ少なかれ、激しい外部汚れかもしれないので、続く再調整は明らかに少ない労力で可能である。
【００６０】
結合点に配されているメディアあるいは抑制用空気は、矢印４０´で示されているように、大部分は前部にむかって退出し、矢印４０´´で示されるように、後部に向かってより少ない程度で退出する。絶対的に滅菌しないモータに存在している可能性がある細菌は、メディアとともに処置（手術）部位から一緒に運び去られる。ホースおよび電動要素１２´は、最も厳格な消毒剤の要件を満たす必要はない。
【００６１】
わずかな過剰な圧力が必要とされるので、灌流するメディア量は、非常に小さく抑えることができる。その量は、騒がせる騒音（ノイズ）が実質的に生成されない、あるいは少なくとも著しくないような方法で選択することができる。
【００６２】
また、抑制用空気が終日（まる１日）絶え間なく（永続的に）ハンドヘルド器具を灌流するような備えがあってもよい。微生物の汚染は、唯一外部表面に発生する可能性があり、必要がある場合、簡単な拭き取りによって相対的に無菌を維持することができる。
【００６３】
好適に、メディアあるいは抑制用空気は、上述したように“第２メディア”に関連しているが、パワー伝達領域およびさらなるキャビティの両方を通って、特に好適にはハンドヘルド器具のすべてのキャビティを通って導かれる備えがある。
【００６４】
医療用ハンドヘルド器具、特に歯科用ハンドヘルド器具２´を操作するための対応するシステムは、上述した意味において、気体（ガス状）、無菌のメディアを、駆動装置（ドライブアレンジメント）の要素を囲うパワー伝達領域を通して、過剰な圧力により推進させて導くための手段を示す。システムは、好適には、メディアを、適当なさらなるキャビティ、特に好適にはハンドヘルド器具のすべてのキャビティを通って導くように設計される。さらに、前述のホースあるいは適切なホースの取り付け部は、たとえば電動要素１２´に提供されてもよい。
【００６５】
さらに言及すべきことは、本発明はまた、たとえばボールベアリングや摩擦点等のように摩耗する場合があるハンドヘルド器具の部品（コンポーネント）と構造の耐用年数への影響と関連するそれに対応するハンドヘルド器具の衛生状態と清浄度に関して有利である。パーティクル（粒子）フィルタによって清浄されている空気を利用することによって、この方法で、対応する部品（コンポーネント）と構造の達成すべき耐用年数の増大が可能である。これは、特に、歯科用器具の場合にも成り立つ。後者は特に高いダスト負荷に実際にさらされているので、この観点は、このコンテキストでは特に重要である。
【図１】
2014042834.tif 000003
【図２】
2014042834.tif 000004
【図３】
2014042834.tif 000005
【図４】
2014042834.tif 000006
【図５】
2014042834.tif 000007
【図６】
2014042834.tif 000008